(57)【要約】【課題】利用者の性格に合わせたカラオケ歌唱の採点が可能なカラオケシステムを提供する。【解決手段】サービス提供者が所持する携帯端末との間で通信を確立する通信制御部と、ある楽曲に合わせて利用者が歌唱することにより得られる歌唱音声データを当該楽曲のリファレンスデータと比較し、歌唱区間の採点値を算出する採点部と、前記通信が確立されていない第１の歌唱区間における採点値と、前記通信が確立されている第２の歌唱区間における採点値とを比較する採点値比較部と、前記第２の歌唱区間における採点値が、前記第１の歌唱区間における採点値よりも所定値以上低下した場合、前記第２の歌唱区間における採点値を補正する採点値補正部と、を有するカラオケシステム。【選択図】図２
2018072596.tif 000002
【特許請求の範囲】
【請求項１】
サービス提供者が所持する携帯端末との間で通信を確立する通信制御部と、
ある楽曲に合わせて利用者が歌唱することにより得られる歌唱音声データを当該楽曲のリファレンスデータと比較し、歌唱区間の採点値を算出する採点部と、
前記通信が確立されていない第１の歌唱区間における採点値と、前記通信が確立されている第２の歌唱区間における採点値とを比較する採点値比較部と、
前記第２の歌唱区間における採点値が、前記第１の歌唱区間における採点値よりも所定値以上低下した場合、前記第２の歌唱区間における採点値を補正する採点値補正部と、
を有するカラオケシステム。
【請求項２】
前記採点値補正部による補正は、前記第２の歌唱区間における採点値として、当該第２の歌唱区間の採点値を求める際に参照した前記リファレンスデータと類似するリファレンスデータを参照した前記第１の歌唱区間の採点値を用いる処理であること特徴とする請求項１記載のカラオケシステム。
【請求項３】
前記採点値補正部による補正は、前記第２の歌唱区間における採点値として、前記第１の歌唱区間の採点値を用いる処理であることを特徴とする請求項１記載のカラオケシステム。
【請求項４】
前記採点値補正部による補正は、前記第２の歌唱区間における採点値として、過去に同じ楽曲を歌唱した際に得られた当該第２の歌唱区間に相当する歌唱区間の採点値を用いる処理であることを特徴とする請求項１記載のカラオケシステム。
【請求項５】
前記採点値補正部による補正は、前記第２の歌唱区間における採点結果を０とする処理であり、
前記採点部は、前記第１の歌唱区間における採点結果のみに基づいて前記ある楽曲全体の採点値を算出することを特徴とする請求項１記載のカラオケシステム。
【発明の詳細な説明】
【技術分野】
【０００１】
本発明はカラオケシステムに関する。
【背景技術】
【０００２】
カラオケ装置は、マイクから入力された歌唱音声から音高データ、音量データ、タイミング等の歌唱音声データを抽出し、この歌唱音声データとカラオケ演奏された楽曲の主旋律等を示すリファレンスデータとを比較することによりカラオケ歌唱の採点を行うことができる。
【０００３】
また、このようなカラオケ装置が設置されるカラオケ店舗（カラオケボックス等）では、カラオケ装置の利用中にリモコン装置やインターホンを介して部屋毎に飲食物をオーダーすることができる。
【０００４】
オーダーされた飲食物は、カラオケ店舗の店員（サービス提供者）によって提供される。この際、店員はカラオケ歌唱を行っている最中の部屋に入室することがある。
【０００５】
ところで、カラオケ装置の利用者の中には、店員等の見知らぬ人の前で歌うことを躊躇う性格の者もいる。そのような利用者は、店員がいつ入室してくるかを気にしてカラオケ歌唱を楽しめなかったり、店員が部屋に入室してきた際には、カラオケ歌唱を中止してしまうこともありうる。
【０００６】
このような問題に対し、特許文献１には、カラオケルーム内に設置された検出機器より、サービス提供者の入室・退室を判定し、サービス提供者がカラオケルームに入室している場合には、現在演奏中もしくは演奏終了後の楽曲の次曲の演奏を開始しないように制御し、サービス提供者がカラオケルームから退室した場合には、所定時間経過後に次曲の演奏を開始するように制御するシステムが開示されている。
【先行技術文献】
【特許文献】
【０００７】
【特許文献１】特開２０１０−８９７４号公報
【発明の概要】
【発明が解決しようとする課題】
【０００８】
しかし、特許文献１に記載のシステムによれば、カラオケ演奏の最中（カラオケ歌唱の最中）に店員が入室した場合、現在行われているカラオケ演奏は継続される。一方で、見知らぬ人の前で歌うことを躊躇う性格の利用者はカラオケ歌唱を中止してしまう。この場合、カラオケ演奏に対応する歌唱音声データの入力が無くなるため、カラオケ歌唱の採点結果が悪くなってしまう。
【０００９】
本発明の目的は、利用者の性格に合わせたカラオケ歌唱の採点が可能なカラオケシステムを提供することにある。
【課題を解決するための手段】
【００１０】
上記目的を達成するための主たる発明は、サービス提供者が所持する携帯端末との間で通信を確立する通信制御部と、ある楽曲に合わせて利用者が歌唱することにより得られる歌唱音声データを当該楽曲のリファレンスデータと比較し、歌唱区間の採点値を算出する採点部と、前記通信が確立されていない第１の歌唱区間における採点値と、前記通信が確立されている第２の歌唱区間における採点値とを比較する採点値比較部と、前記第２の歌唱区間における採点値が、前記第１の歌唱区間における採点値よりも所定値以上低下した場合、前記第２の歌唱区間における採点値を補正する採点値補正部と、を有するカラオケシステムである。
本発明の他の特徴については、後述する明細書及び図面の記載により明らかにする。
【発明の効果】
【００１１】
本発明によれば、利用者の性格に合わせたカラオケ歌唱の採点が可能となる。
【図面の簡単な説明】
【００１２】
【図１】実施形態に係るカラオケ装置のハードウェア構成例を示す図である。
【図２】実施形態に係るカラオケ本体のソフトウェア構成例を示す図である。
【図３】楽曲の歌唱区間を模式的に示した図である。
【図４】実施形態に係るカラオケ装置の処理を示すフローチャートである。
【発明を実施するための形態】
【００１３】
後述する明細書及び図面の記載から、上記の主たる発明の他、少なくとも以下の事項が明らかとなる。
【００１４】
すなわち、前記採点値補正部による補正は、前記第２の歌唱区間における採点値として、当該第２の歌唱区間の採点値を求める際に参照した前記リファレンスデータと類似するリファレンスデータを参照した前記第１の歌唱区間の採点値を用いる処理であるカラオケシステムが明らかとなる。また、前記採点値補正部による補正は、前記第２の歌唱区間における採点値として、前記第１の歌唱区間の採点値を用いる処理であるカラオケシステムが明らかとなる。または、前記採点値補正部による補正は、前記第２の歌唱区間における採点値として、過去に同じ楽曲を歌唱した際に得られた当該第２の歌唱区間に相当する歌唱区間の採点値を用いる処理であるカラオケシステムが明らかとなる。或いは、前記採点値補正部による補正は、前記第２の歌唱区間における採点結果を０とする処理であり、前記採点部は、前記第１の歌唱区間における採点結果のみに基づいて前記ある楽曲全体の採点値を算出するカラオケシステムが明らかとなる。これらのカラオケシステムによれば、採点値を適切な値に補正することができる。
【００１５】
図１〜図４を参照して、本実施形態に係るカラオケ装置１について説明する。カラオケ装置１は、「カラオケシステム」の一例である。
【００１６】
＝＝カラオケ装置＝＝
カラオケ装置１は、カラオケ演奏及び利用者がカラオケ歌唱を行うための装置である。カラオケ装置１は、カラオケ店舗の各部屋に設置される。図１に示すように、カラオケ装置１は、カラオケ本体１０、スピーカ２０、表示装置３０、マイク４０、及びリモコン装置５０を備える。
【００１７】
スピーカ２０はカラオケ本体１０からの放音信号に基づいて放音するための構成である。表示装置３０はカラオケ本体１０からの信号に基づいて映像や画像を画面に表示するための構成である。マイク４０は利用者の歌唱音声をアナログの音声信号に変換してカラオケ本体１０に入力するための構成である。リモコン装置５０は、カラオケ本体１０に対する各種操作をおこなうための装置である。利用者はリモコン装置５０を用いてカラオケ楽曲の予約等を行うことができる。リモコン装置５０の表示画面には各種操作の指示入力を行うためのアイコン等が表示される。
【００１８】
カラオケ本体１０は、選択されたカラオケ楽曲の演奏制御、歌詞や背景映像等の表示制御、マイク４０を通じて入力された音声信号の処理といった、カラオケ歌唱に関する各種の制御を行う。図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００１９】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２０】
通信部１２は、ルーター（図示なし）を介してカラオケ本体１０を通信回線に接続するためのインターフェースを提供する。また、本実施形態に係る通信部１２は、サービス提供者の携帯端末Ｍと無線通信（たとえば、Ｂｌｕｅｔｏｏｔｈ（登録商標）通信や赤外線通信）を確立するためのインターフェースとしても機能する。
【００２１】
携帯端末Ｍには、カラオケ装置１と通信を確立するためのアプリケーションソフトウエアがダウンロードされている。当該アプリケーションソフトウエアを立ち上げた状態で携帯端末Ｍをカラオケ装置１に近づけることにより、携帯端末Ｍとカラオケ装置１との間で通信を確立することができる（詳細は後述）。
【００２２】
記憶部１３は、各種のデータを記憶する大容量の記憶装置であり、たとえばハードディスクドライブなどである。
【００２３】
記憶部１３は、カラオケ装置１によりカラオケ演奏を行うための複数の楽曲データを記憶する。楽曲データは、個々の楽曲を特定するための楽曲ＩＤが付与されている。楽曲データは、伴奏データ、リファレンスデータ等を含む。伴奏データは、カラオケ演奏音の元となるデータである。リファレンスデータは、楽曲の主旋律等を示すデータである。リファレンスデータは、たとえば、歌唱者によるカラオケ歌唱を採点する際の基準として用いられる。伴奏データ及びリファレンスデータは、たとえばＭＩＤＩ形式で構成される。また、記憶部１３は、カラオケ楽曲に対応する歌詞テロップを表示装置３０等に表示させるための歌詞テロップデータ、カラオケ演奏時に表示装置３０等に表示される背景画像等の背景画像データ、及び楽曲の属性情報（歌手名、作詞・作曲者名、ジャンル等の当該楽曲に関する情報）を記憶する。
【００２４】
音響処理部１４は、制御部１１の制御に基づき、カラオケ楽曲に対する演奏の制御およびマイク４０を通じて入力された歌唱音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される歌唱音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２５】
表示処理部１５は、制御部１１の制御に基づき、表示装置３０やリモコン装置５０における各種表示に関する処理を行う。たとえば、表示処理部１５は、カラオケ演奏時における背景映像に歌詞テロップや各種アイコンが重ねられた映像を表示装置３０に表示させる制御を行う。
【００２６】
操作部１６は、パネルスイッチおよびリモコン受信回路などからなり、利用者によるカラオケ装置１のパネルスイッチあるいはリモコン装置５０の操作に応じて予約信号、演奏中止信号などの操作信号を制御部１１に対して出力する。制御部１１は、操作部１６からの操作信号を検出し、対応する処理を実行する。
【００２７】
（ソフトウェア構成）
図２はカラオケ本体１０のソフトウェア構成例を示す図である。カラオケ本体１０は、通信処理部１００、採点部２００、採点値比較部３００及び採点値補正部４００を備える。通信処理部１００、採点部２００、採点値比較部３００、採点値補正部４００は、ＣＰＵ１１ａがメモリ１１ｂに記憶されるプログラムを実行することにより実現される。
【００２８】
［通信処理部］
通信処理部１００は、通信部１２を介し、サービス提供者が所持する携帯端末Ｍとの間で通信を確立する。
【００２９】
たとえば、通信処理部１００は、通信部１２を介して接続要求メッセージを送信し、カラオケ装置１が設置されている部屋内に受信待機状態の携帯端末Ｍが存在するか否かを検索する。
【００３０】
一方、サービス提供者が所持する携帯端末Ｍには、専用のアプリケーションソフトウエアが予めインストールされている。サービス提供者は、飲食物を提供する際、アプリケーションソフトウエアを立ち上げた状態の携帯端末Ｍを所持したまま、オーダーを受けた部屋に入室する。
【００３１】
サービス提供者がオーダーを受けた部屋に入室した場合、携帯端末Ｍは、通信処理部１００からの接続要求メッセージを受信することができる。この場合、携帯端末Ｍは、カラオケ装置１に対し、サービス提供者の携帯端末Ｍである旨の確認信号を送信する。通信処理部１００は、通信部１２を介して確認信号を受信した場合、所定のプロトコル（たとえば、Ｂｌｕｅｔｏｏｔｈのプロトコル）に従ってカラオケ装置１と携帯端末Ｍとの通信を確立する。通信処理部１００は、所定時間毎に接続要求メッセージを送信し、携帯端末Ｍからの確認信号が受信できるかどうかにより、通信の確立及び通信の解除を判断する。通信部１２及び通信処理部１００は「通信制御部」の一例である。
【００３２】
カラオケ装置１と携帯端末Ｍとの通信が確立された場合、通信処理部１００は、通信が確立した旨の信号を採点部２００に出力する。
【００３３】
一方、通信処理部１００は、サービス提供者が退室すると携帯端末Ｍからの確認信号を受信できなくなる。この場合、通信処理部１００は、携帯端末Ｍとの通信が解除されたと判断する。通信処理部１００は、通信が解除された旨の解除信号を採点部２００に出力する。
【００３４】
［採点部］
採点部２００は、ある楽曲に合わせて利用者が歌唱することにより得られる歌唱音声データを当該楽曲のリファレンスデータと比較し、歌唱区間の採点値を算出する。歌唱区間は、利用者がカラオケ歌唱を行っている区間（イントロ、間奏等の非歌唱区間を除く区間）である。
【００３５】
採点値を算出する処理は公知の手法を用いることができる。たとえば、採点部２００は、マイク４０から入力された歌唱音声信号に基づく歌唱周波数と、リファレンスデータに基づくリファレンス周波数により、歌唱音程の正確さについての採点処理を行う。
【００３６】
具体的には、採点部２００は、歌唱周波数とリファレンス周波数とを比較し、その差分（セント値）を算出し、この差分に基づいてノート毎に合格ノート、不合格ノートを判定する。採点部２００は、各ノート区間（ノートオンからノートオフまでの区間）に、歌唱周波数が所定（１〜複数）サンプル以上歌唱旋律の音高に合っていた（リファレンス周波数から許容範囲の周波数に入っていた）場合には、「合格ノート」であると判定し、歌唱周波数が歌唱旋律の音高に合った回数が所定サンプル未満であった場合には「不合格ノート」であると判定する。
【００３７】
採点部２００は、楽曲が終了したとき、ノート毎に決定された合格ノート、不合格ノートの数に基づいて得点を求める。採点値は、たとえば、合格ノート数の楽曲の全ノート数に対するパーセント、すなわち合格ノート数を全ノート数で除算して１００を掛けた値である。
【００３８】
本実施形態において、採点部２００は、通信処理部１００からの信号に基づいて、カラオケ装置１と携帯端末Ｍとの通信が確立されていない歌唱区間（第１の歌唱区間）における採点値、及びカラオケ装置１と携帯端末Ｍとの通信が確立されている歌唱区間（第２の歌唱区間）における採点値の算出を行う。
【００３９】
たとえば、利用者のカラオケ歌唱に伴って、採点部２００は、歌唱区間に含まれるノートの判定結果（「合格ノート」または「不合格ノート」）を記憶部１３等の第１の記憶領域に一時的に記憶させておく。一方、カラオケ歌唱中に通信が確立した旨の信号が入力された場合、採点部２００は、それ以降の歌唱区間に含まれるノートの判定結果を通信が確立するまでのノートの判定結果と別に記憶部１３等の第２の記憶領域に一時的に記憶させておく。更に、通信が解除された旨の解除信号が入力された場合、採点部２００は、それ以降の歌唱区間に含まれるノートの判定結果を第１の記憶領域に一時的に記憶させておく。
【００４０】
カラオケ歌唱の終了後、採点部２００は、第１の記憶領域に記憶された判定結果に基づいて、通信が確立されていない歌唱区間（第１の歌唱区間）における採点値を算出する。一方、採点部２００は、第２の記憶領域に記憶された判定結果に基づいて、通信が確立されている歌唱区間（第２の歌唱区間）における採点値を算出する。
【００４１】
採点部２００は、算出した採点値を採点値比較部３００に出力する。
【００４２】
更に、採点部２００は、ある楽曲のカラオケ演奏が終了した後、全ての歌唱区間における採点値を合計した値を歌唱区間の数で除することにより、ある楽曲全体の採点値（この場合は平均値）を算出できる。採点部２００は、算出した楽曲全体の採点値を表示装置３０等に表示することができる。利用者は表示された採点値を確認することで自己の歌唱評価を把握することができる。
【００４３】
［採点値比較部］
採点値比較部３００は、通信が確立されていない第１の歌唱区間における採点値と、通信が確立されている第２の歌唱区間における採点値とを比較する。
【００４４】
見知らぬ人の前で歌うことを躊躇う性格の利用者の場合、サービス提供者が入室するとカラオケ歌唱を中止したり、声が小さくなる傾向にある。この場合、十分な歌唱音声データが得られないため、サービス提供者が入室した後の採点値は悪くなる。すなわち、採点値が極端に悪くなっている場合（所定値以上低下している場合）には、サービス提供者の入室により歌唱音声が低下したと判断できる。
【００４５】
採点値の比較に関して、図３を参照して具体的な説明を行う。図３は、楽曲Ｘにおける歌唱区間を模式的に示した図である。この例では、第１の歌唱区間として歌唱区間Ｉ１及び歌唱区間Ｉ３が存在し、第２の歌唱区間として歌唱区間Ｉ２が存在する。
【００４６】
この場合、採点値比較部３００は、通信が確立されていない歌唱区間Ｉ１及び歌唱区間Ｉ３の採点値、及び通信が確立されている歌唱区間Ｉ２の採点値を採点部２００から受け取り、比較を行う。具体的には、採点値比較部３００は、歌唱区間Ｉ２における採点値が、歌唱区間Ｉ１及び歌唱区間Ｉ３における採点値よりも所定値以上低下しているかどうかを判断する。所定値は、任意の値を予め設定しておくことができる。この例では「２０点」を所定値とする。
【００４７】
ここで、通信が確立されている歌唱区間Ｉ２の採点値（５０点）は、通信が確立されていない歌唱区間Ｉ１及び歌唱区間Ｉ３の採点値（８５点）よりも３０点ほど低下している。従って、採点値比較部３００は、歌唱区間Ｉ２の採点値が所定値以上低下している旨の比較結果信号を採点値補正部４００に出力する。一方、所定値以上低下していない場合には、サービス提供者の入室により歌唱音声の低下はないものとして、特段の処理を行わない。
【００４８】
なお、上記例では、歌唱区間Ｉ１及び歌唱区間Ｉ３の採点値、すなわち、それら歌唱区間の平均値を用いたが、通信が確立されていない歌唱区間における採点値はこれに限られない。たとえば、歌唱区間Ｉ１の採点値（８０点）或いは歌唱区間Ｉ３の採点値（９０点）のいずれか一方を用いることでもよい。或いは、歌唱区間Ｉ１及び歌唱区間Ｉ３の採点値の平均値に限らず他の統計値であってもよいし、最大値や最小値を用いることでもよい。
【００４９】
［採点値補正部］
採点値補正部４００は、第２の歌唱区間における採点値が、第１の歌唱区間における採点値よりも所定値以上低下した場合、第２の歌唱区間における採点値を補正する。
【００５０】
採点値比較部３００から比較結果信号が入力された場合、採点値補正部４００は、第２の歌唱区間における採点値の補正を行う。採点値の補正方法は様々な方法がある。以下の例では、図３における歌唱区間Ｉ２における採点値を補正する例について述べる。なお、採点値の補正については、全てのカラオケ演奏が終了した後、楽曲全体の採点値を算出する前に、対応する歌唱区間に対して行う。
【００５１】
＜第１の方法：リファレンスデータが類似する歌唱区間における採点値の利用＞
採点値補正部４００は、第２の歌唱区間における採点値として、当該第２の歌唱区間の採点値を求める際に参照したリファレンスデータと類似するリファレンスデータを参照した第１の歌唱区間の採点値を用いる補正を行う。
【００５２】
一人の利用者が歌唱した場合、リファレンスデータが類似する歌唱区間については、同じような採点値が得られるはずである。そこで、採点値補正部４００による補正は、類似するリファレンスデータを参照して採点を行った歌唱区間の採点値を、採点値が所定値以上低下した歌唱区間の値と置き換える処理を行う。
【００５３】
図３の例において、たとえば歌唱区間Ｉ１及び歌唱区間Ｉ２が同じ「Ａメロ、Ｂメロ、サビ」に相当するとする。この場合、採点値補正部４００は、歌唱区間Ｉ１の採点値（８０点）を歌唱区間Ｉ２の採点値として置き換える。
【００５４】
＜第２の方法：第１の歌唱区間における採点値を利用＞
採点値補正部４００は、第２の歌唱区間における採点値として、第１の歌唱区間の採点値を用いる補正を行う。
【００５５】
カラオケ楽曲全体の採点値は、たとえば、全歌唱区間の平均値として提示される。従って、通信が確立している歌唱区間における採点値も、本来はこの平均値付近の値で推移すると考えられる。そこで、採点値補正部４００による補正は、通信が確立していない歌唱区間における採点値（サービス提供者の入室による影響がないときに得られた採点値）を、採点値が所定値以上低下した歌唱区間の値と置き換える処理を行う。
【００５６】
図３の例において、採点値補正部４００は、通信が確立されていない複数の歌唱区間（この例では、歌唱区間Ｉ１及び歌唱区間Ｉ３）の採点値の平均値（８５点）を算出する。そして、採点値補正部４００は、算出した平均値（８５点）を歌唱区間Ｉ２の採点値として置き換える。なお、上述の通り、通信が確立されていない歌唱区間の採点値としては、複数の歌唱区間のうち一の歌唱区間の採点値や、複数の歌唱区間の統計値、最大値または最小値を用いることができる。
【００５７】
＜第３の方法：過去の歌唱により得られた採点値を利用＞
採点値補正部４００は、第２の歌唱区間における採点値として、過去に同じ楽曲を歌唱した際に得られた当該第２の歌唱区間に相当する歌唱区間の採点値を用いる補正を行う。
【００５８】
ある利用者が異なる日に同じ楽曲を歌唱することがある。当該歌唱に伴ってノート毎に合否判定が行われている場合、その結果は、利用者ＩＤや楽曲ＩＤと関連付けられてサーバ（図示なし）等に記憶される。そこで、採点値補正部４００による補正は、ある楽曲を歌唱する利用者が過去に楽曲を歌唱した際に得られたノートの合否判定結果から第２の歌唱区間に相当する歌唱区間における合否判定結果をサーバから受信して採点値を求め、その値を通信が確立されている歌唱区間の採点値と置き換える処理を行う。
【００５９】
たとえば、図３における歌唱を行っている利用者が過去にも楽曲Ｘを歌唱して採点を行っているとする。この場合、採点値補正部４００は、利用者ＩＤ及び楽曲Ｘの楽曲ＩＤに基づいてサーバから過去の歌唱において得られた歌唱区間Ｉ２に相当する歌唱区間におけるノートの合否判定結果を読み出す。採点部２００は、当該ノートの合否判定結果に基づいて第２の歌唱区間に相当する歌唱区間における採点値を算出する。そして、採点値補正部４００は、算出された採点値を採点区間Ｉ２の採点値として置き換える。なお、過去に楽曲Ｘを複数回歌唱している場合には、複数の合否判定結果を全て読み出して平均値等を求め、その値を採点区間Ｉ２の採点値として置き換えてもよい。また、過去に楽曲Ｘを歌唱した際に得られた歌唱区間の採点値は、通信が確立していない歌唱区間で得られた採点値を採用することが望ましい。
【００６０】
＜第４の方法：採点値が所定値以上低下した歌唱区間における採点値を０とする＞
上記方法のように採点値を置き換える代わりに、採点値補正部４００は、補正処理として第２の歌唱区間における採点結果を０とすることも可能である。この場合、採点部２００は、第１の歌唱区間における採点結果のみに基づいてある楽曲全体の採点値を算出する。
【００６１】
たとえば、図３の例において、採点値補正部４００は、歌唱区間Ｉ２におけるノートの判定結果をいずれも不合格（すなわち、採点結果は０）とする。一方、楽曲全体の採点値を算出する際に、歌唱区間Ｉ２の不合格ノートを加えてしまうと、全体の採点値が低下する。そこで、採点部２００は、歌唱区間Ｉ１及び歌唱区間Ｉ３における合格ノートのみに基づいて楽曲Ｘ全体の採点値を算出する。
【００６２】
＝＝カラオケ装置１の動作について＝＝
次に、図４を参照して本実施形態におけるカラオケ装置１の動作の具体例について述べる。図４は、カラオケ装置１の動作例を示すフローチャートである。この例では、カラオケ装置１の利用者が予め飲食物をオーダーしているものとする。また、飲食物を提供するサービス提供者が所持する携帯端末Ｍでは、カラオケ装置１と通信を確立するためのアプリケーションソフトウエアが予め立ち上げられているものとする。また、カラオケ演奏の開始後、通信が確立されていない区間が第１の歌唱区間となり、通信が確立された後、通信が解除されるまでの区間が第２の歌唱区間となる。
【００６３】
カラオケ装置１は、利用者が選曲した楽曲Ｘのカラオケ演奏を開始する（カラオケ演奏の開始。ステップ１０）。利用者は、楽曲Ｘを選曲してカラオケ歌唱を行う。
【００６４】
採点部２００は、カラオケ歌唱により得られる歌唱音声データ（歌唱周波数）を楽曲Ｘのリファレンスデータ（リファレンス周波数）と比較し、第１の歌唱区間に含まれるノート毎に合否判定を行う（第１の歌唱区間に含まれるノートの合否判定。ステップ１１）。
【００６５】
通信処理部１００は、通信部１２を介してカラオケ装置１が設置されている部屋内に接続要求メッセージを送信する（接続要求。ステップ１２）。
【００６６】
サービス提供者が部屋に入室し、携帯端末Ｍがステップ１２で送信された接続要求メッセージを受信した場合、携帯端末Ｍは、通信処理部１００に店員である旨の確認信号を送信する。
【００６７】
確認信号を受信した場合（ステップ１３でＹの場合）、通信処理部１００は、携帯端末Ｍとの間で通信を確立する（通信の確立。ステップ１４）。この場合、採点部２００は、第２の歌唱区間に含まれるノート毎に合否判定を行う（第２の歌唱区間に含まれるノートの合否判定。ステップ１５）。
【００６８】
一方、通信処理部１００が携帯端末Ｍから店員である旨の確認信号を受信できない場合、通信が解除される（ステップ１６でＹの場合）。
【００６９】
カラオケ演奏が終了した後（ステップ１７でＹの場合）、採点部２００は、ノート毎の判定結果に基づいて、通信が確立されていない第１の歌唱区間における採点値、及び通信が確立されている第２の歌唱区間における採点値を算出する（採点値の算出。ステップ１８）。採点部２００は、算出した採点値を採点値比較部３００に出力する。
【００７０】
採点値比較部３００は、通信が確立されていない第１の歌唱区間における採点値と、通信が確立されている第２の歌唱区間における採点値とを比較する（採点値の比較。ステップ１９）。
【００７１】
第２の歌唱区間における採点値が、第１の歌唱区間における採点値よりも所定値以上低下している場合（ステップ２０でＹの場合）、採点値補正部４００は、第２の歌唱区間における採点値を補正する（採点値の補正。ステップ２１）。
【００７２】
採点部２００は、ステップ１８で算出された採点値（及びステップ２１で採点値が補正されている場合には補正された採点値）に基づいて、楽曲全体の採点値を算出する（楽曲全体の採点値を算出。ステップ２２）。
【００７３】
このように、本実施形態に係るカラオケ装置１によれば、カラオケ歌唱の採点値を比較することにより、サービス提供者が入室に伴って採点値が極端に低下した場合には、採点値の補正を行うことができる。すなわち、本実施形態に係るカラオケ装置１によれば、利用者の性格に合わせたカラオケ歌唱の採点が可能となる。よって、サービス提供者のような見知らぬ人の前で歌うことを躊躇う利用者であっても妥当な採点値が得られるため、カラオケ歌唱や採点機能を十分に楽しむことができる。
【００７４】
＜その他＞
なお、上記例では、カラオケ装置１が携帯端末Ｍとの通信を確立する機能（通信処理部１００）を有しているがこれに限られない。たとえば、カラオケ装置１と同じ部屋の中に近距離無線通信の専用端末を配置しておく。そして、携帯端末Ｍとの通信の確立は、この専用端末により行われることでもよい。この場合、専用機器は、通信の確立及び解除の情報をカラオケ装置１に送信し、カラオケ装置１は当該情報の受信に伴って、歌唱音量の測定やカラオケ演奏の中止等の処理を行う。この場合、専用端末及びカラオケ装置１が「カラオケシステム」を構成することとなる。
【００７５】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７６】
１  カラオケ装置（カラオケシステム）
１０  カラオケ本体
１１  制御部
１２  通信部
１００  通信処理部
２００  採点部
３００  採点値比較部
４００  採点値補正部
【図１】
2018072596.tif 000003
【図２】
2018072596.tif 000004
【図３】
2018072596.tif 000005
【図４】
2018072596.tif 000006